(57)【要約】      （修正有）【課題】ギア連動に起因する摩擦力の不具合発生がなく、確実に開閉停止位置を確保できる温室カーテン用停止装置を提供する。【解決手段】ウオームギアとネジ棒相互の動きによって水平移動する移動ナットがマイクロスイッチをオンオフする温室カーテン用停止装置であって、ウオームギア２に咬合したウオームホイール３の回転に連動するネジ棒４を回転させることにより、ウオームホイールの左右に配置した回り止め機能を有する移動ナット１１が水平移動する。カーテンはスイッチ円板１４のアーム１５をマイクロスイッチ２０に接触させてオンオフすることにより開・閉停止位置が設定される。【選択図】図２
0003219346.tif 000002
【実用新案登録請求の範囲】
【請求項１】
ウオームギアに咬合したウオームホイールの回転に連動してネジ棒が回転すると、ウオームホイールの左右に配置された回り止め機能を有する移動ナットのスイッチ円板がマイクロスイッチに接触してカーテン開閉を所定位置に停止する温室カーテン用停止装置。
【請求項２】
前記移動ナットはナット主体と、突設したアームがフレーム壁の案内溝に沿って進退するスイッチ円板を有し、スイッチ円板はネジ棒に沿って水平移動するが回転しないものであることを特徴とする請求項１記載の温室カーテン用停止装置。
【請求項３】
前記スイッチ円板は押え板及びＥリングを備え、上部にナット主体に固定するための固定ネジを備えていることを特徴とする請求項１又は２記載の温室カーテン用停止装置。
【考案の詳細な説明】
【技術分野】
【０００１】  本考案は、カーテンを所定の開閉位置で停止することのできる温室カーテン用停止装置に関する。
【背景技術】
【０００２】  温室の採光・温度調整等をすることは植物育成にとって極めて重要であり、そのための温室躯体に掛装するビニールカーテンの開閉操作手段であって、モーターに連動する駆動軸を起点とする開閉制御装置の作動機能を有効に働くようにするために従来種々の技術が提案されている。一般的なものとして駆動軸の回転を減速機構を介して第一の回転軸に伝達し、この回転軸の動きを次の減速機構を介して第二の回転軸に及ぼしてオンオフスイッチによるカーテンの動きを所定の開閉位置にて制御するというものであり、回転軸のスイッチによりカーテンを所定位置に停止する構成のものにあってはスイッチに凹状カムを使用し、該凹状カムに係合して作動するマイクロスイッチを設けたことによってカーテンを所定位置に停止することができるとするものが知られている。【０００３】  しかして上記の技術にあっては回転軸の動きがギアの咬合手段によってなされ、第一の回転軸と第二の回転軸が減速されてカム部材の働きでマイクロスイッチのオンオフ操作が行われるものであり、減速比を大きくとるとカーテンを所定位置に停止することができなくなるという問題がある。例えば駆動軸が３６０°回転して第一の回転軸が３０°回転し、第二の回転軸が３６０°回転するような場合において第二の回転軸に１°の誤差がおきると第一の回転軸には３０°の誤差が生じて駆動軸は１回転の誤差となり、駆動軸の１回転によりカーテン駆動ワイヤーが２０ｃｍ移動すると仮定した場合カーテンの開閉位置は２０ｃｍの誤差が生じてカーテンが所定位置にて停止しない、つまりギヤ素因数の齟齬がカーテン開閉操作のマイナス因子となっているためである。【０００４】  そこで第二の回転軸に凸状カムを設け、該凸状カム部がマイクロスイッチのばね弾力に抗して回転してマイクロスイッチを作動するようにして減速機構に存在するガタ等を吸収することなく取り付けてもカーテンを任意に設定した開・閉位置に停止できるとする技術もある（例えば特許文献１参照）。
【先行技術文献】
【特許文献】
【０００５】
【特許文献１】特開２００２−１０１７６８号の図３、図４
【考案の概要】
【考案が解決しようとする課題】
【０００６】  ところで従来技術は、いずれも装置函内の減速機構がギアの組み合わせで構成され、それらによって第一の回転軸と第二の回転軸を連動させる結果回転カムがマイクロスイッチに作用するという手法をとっている。このため複数のギアを函内に組み込むことを前提として装置を構成しなければならないため構造が複雑となって製作手数がかかりコスト高になるのと、大小のギアの咬合個所の回転伝達をスムーズにするために腐心する必要があり一旦ギアの回転に齟齬が生じるとカーテン開閉停止位置が所期する設定とは異なる不具合をもたらす恐れがあった。【０００７】  本考案は従来技術のように減速機構がギア同士による回転伝達をするものではなく、それゆえギア連動に起因する摩擦力の不具合発生もなく、確実に開閉停止位置を確保してカーテンによる通風・採光・温度調整を温室の栽培対象に及ぼすことができる停止装置を提供することを課題とする。
【課題を解決するための手段】
【０００８】  上記課題を解決するために本考案は、ウオームギアに咬合したウオームホイールの回転に連動してネジ棒が回転すると、ウオームホイールの左右に配置された回り止め機能を有する移動ナットのスイッチ円板に取り付けたアームがマイクロスイッチに接触してカーテンを所定位置に停止することを主旨とする。【０００９】  移動ナットは、ネジ棒に螺合したナット主体に前記スイッチ円板が取り付けられて構成され、ケーシング内の取付壁に形成した案内溝に、スイッチ円板のアームが案内されてネジ棒に沿って水平移動するが回転はせず、固定ビスを締め付けると、ナット主体に固定されたスイッチ円板が回動して前記アームがマイクロスイッチと接触するものであることを特徴とする。【００１０】  マイクロスイッチが開・閉双方に２個づつ取り付けられ、双方に跨って連繋片が取り付けられたものであることを特徴とする。【００１１】  ケーシング内に設けた二個のＬＥＤライトが、マイクロスイッチをオンした時に消灯し、スイッチオフした時に点灯するものであることを特徴とする。
【考案の効果】
【００１２】  減速機構がウオームギアとウオームホイールの咬合とはいえ、ウオームホイールにはネジ棒が連動する構成としてあるため、ギアとギアの組み合わせをメインとする従来技術とは全く異なる動きを基本として減速機構が成り立っている。すなわちカーテン開閉のためにはギアと同軸上のカム円板が回動してマイクロスイッチが作動するという手法をとらず、ネジ棒上を水平移動する移動ナットのスイッチ円板がマイクロスイッチに当接するという頗る単純にして確実な構成としたものであり、これによりカーテン開閉における所定の停止位置が制御できる。【００１３】  装置本体の内部には、ウオームホイールと一体のネジ棒に移動ナットを搭載し、マイクロスイッチを設けたというシンプルな構成にも関わらず上記したように十分な開閉停止機能を発揮でき、それゆえ製作が容易で経費を節して安価に得られるとともに、数種類のギア同士による組み合わせではないため潤滑剤の枯渇等による作動不具合の発生も抑止できて長く正常な動きが所期される。【００１４】  マイクロスイッチを開・閉側双方に２個づつ設けると、１つのマイクロスイッチが何らかの理由で作動に不具合が生じても他のマイクロスイッチが機能するためカーテンの開閉に支障を生じるおそれはない。
【図面の簡単な説明】
【００１５】
【図１】本考案を取り付ける温室の一例を示す説明図である。
【図２】本考案要部の概略俯瞰図である。
【図３】主要構成部材の部品図である。
【図４】スイッチ円板とマイクロスイッチの接触前と接触後の正面図である。
【図５】図４をフレーム壁側から見た側面図である。
【考案を実施するための形態】
【００１６】  本考案の停止装置は図１に示すような一般的な温室３０に実施されるもので、温室躯体の片側壁面に沿って設けられた駆動ドラム３１の回転に連動する。すなわちカーテン３２の開閉ワイヤー３３は、駆動ドラム３１と他側壁面の滑車３４との間に、中継滑車３５と中間滑車３６を介して無端環状に巻装され、駆動ドラム３１が矢指Ｃ方向に回転するとワイヤー３３は矢指Ａ方向に、ワイヤー３３の他方は反矢指Ｂ方向に移動する。また駆動ドラム３１が反矢指方向Ｃに回転すると、ワイヤー３３は反矢指Ａ方向に、ワイヤー３３の他方は逆の反矢指Ｂ方向に移動することは勿論であって、このカーテン開閉の動きに応じて本考案のカーテン開閉停止装置が設定される。
【００１７】  しかして図２は本考案の要部を、図３は主要構成部材を示したもので、１はケーシングであり、モーターが駆動すると回転するウオームギア２が取り付けられ、該ウオームギア２にはウオームホイール３が咬合している。このウオームホイール３は、両側をケーシングサイドに軸架してあるネジ棒４に仲介材５を挟んで固定されており、したがってウオームホイール３とネジ棒４は連動するのでウオームギア２からウオームホイール３に伝わった回転力によりネジ棒４が正逆回転する。
【００１８】  ウオームホイール３の前記仲介材５は、端部に押え部６を形成しウオームホイール３の係合孔と合致する嵌着部７及び波板バネ８とその押え片９並びにＥリング１０を備えて行き過ぎ防止策としており、ウオームホイール３の左右には、ネジ棒４上を水平移動する移動ナット１１が対称的に配置されている。
【００１９】  そして移動ナット１１は、ネジ棒４に螺合したナット主体１２にスイッチ円板１４が取り付けられて構成されている。このスイッチ円板１４はナット主体１２の凸周面１３に回転可能に嵌合されているが、固定ねじ１８を締め付けることによりナット主体１２に固定される。スイッチ円板１４にはアーム１５が突設してあり、アーム１５はケーシング１の内部に設けたフレーム壁１ａの案内溝Ｈに沿って進退するためビス固定前のスイッチ円板１４は回転せず、したがって移動ナット１１はネジ棒４に沿って水平移動するが回転はしない。スイッチ円板１４の側面には押え板１６とＥリング１７が臨み、移動ナット１１の手動的微調整が図られるようになっている。
【００２０】  そしてカーテンを所定の開又は閉位置のいずれかの個所でその状態を保持し続ける際に前記スイッチ円板１４を回転させてアーム１５をマイクロスイッチ２０に接触させる位置において固定ねじ１８を締め付け固定する（図４及び図５参照）。固定されたスイッチ円板１４はアーム１５がマイクロスイッチ２０に接触した位置で不動状になるとともに電源回路が開成されてウオームギア２とウオームホイール３のいずれもがその動きを停止し、したがってネジ棒４の回転も止むたためカーテンの開又は閉位置は確実に保持される。
【００２１】  すなわちマイクロスイッチ２０はフレーム壁１ａを挟んでスイッチ円板１４と対置され、アーム１５は案内溝Ｈを通ってマイクロスイッチ２０に臨んでいる。マイクロスイッチ２０には上面に弾性接触板２１があり、該弾性接触板には出没子２２が下面に位置してあるため固定ねじ１８の締め付け前はアーム１５が弾性接触板２１と離れていて通電しないが、スイッチ円板１４を回動させて固定ねじ１８を締め付けるとアーム１５が上向き状態から水平状態へと移行して弾性接触板２１を圧接し、その下面に位置している出没子２２が没入してスイッチオンされる。
【００２２】  たとえば前記スイッチ円板１４のアーム１５によってマイクロスイッチ２０がオンされカーテンが開いた状態であれば、マイクロスイッチ２０が働いている間はその開きは接続されるものであり、所定の時間が経過してカーテンを閉じる必要が生じたときには今度は反対位置にある移動ナット１１が逆回したウオームホイール３に連動して回転するネジ棒４上を反対方向に移動するように設定しておけばその移動ナット１１がマイクロスイッチ２０に近接し、前記と同様にアーム１５が働いて反対側のマイクロスイッチ２０が通電する。当然ながらこの時先に設定した移動ナット１１は、アーム１５が案内溝Ｈ内を水平移動するのに連動するが回転することはない。
【００２３】  つまり一方の移動ナット１１によって開閉いずれかのマイクロスイッチ２０がオンとなればカーテンの停止位置が確定するものであり、また他方の移動ナット１１のスイッチ円板１４により他方のマイクロスイッチ２０がオンとなればカーテンの開閉いずれかの停止位置が確定し、その際従来のようにギアの組み合わせによる素因数齟齬に基づくようなカーテンの開閉不具合すなわち閉まらなかったり開ききらないというような問題発生が起きることはない。
【００２４】  マイクロスイッチ２０は開閉用に左右１個づつあれば十分とはいえ、長期使用中には何らかの理由によって不具合若しくは故障の発生がないとは言えないので、夫々の個所に２個宛設けることによって不測の事態を回避できる。２個のマイクロスイッチ２０を作動させるため双方に跨って上面に連繋片２３を取り付ければよく、小型のマイクロスイッチ２０はケーシング１の狭小な空間に納まるものであるから配置することが容易であり、しかもスイッチ円板１４のアーム１５には何ら細工を施す必要もないので製作上特別な手間をかけないで済む。
【００２５】  なお図１における符号２４は左右のマイクロスイッチ２０と関連するＬＥＤライトであり、これらのライトはマイクロスイッチ２０がオンされたときに消灯し、オフされたときに点灯する仕組みとしてある。２つのＬＥＤライト２１は例えば片方を赤色、他方を青色として発光色を異なるようにして開閉いずれかのカーテン停止位置でも容易に認識できる。開閉の設定が終われば当然ながらマイクロスイッチはオンされていてカーテンの開閉停止位置が確定するためネジ棒の動きも止むからである。
【符号の説明】
【００２６】１    ケーシング
１ａ  フレーム壁
Ｈ    案内溝
２    ウオームギア
３    ウオームホイール
４    ネジ棒
５    仲介材
６    押え部
７    嵌着部
８    波板バネ
９    押え片
１０  Ｅリング
１１  移動ナット
１２  ナット主体
１３  凹周面
１４  スイッチ円板
１５  アーム
１６  押え板
１７  Ｅリング
１８  固定ネジ
２０  マイクロスイッチ
２１  弾性接触板
２２  出没子
２３  連繋片
２４  ＬＥＤライト
３０  温室
３１  駆動ドラム
３２  カーテン
３３  開閉ワイヤー
【図１】
0003219346.tif 000003
【図２】
0003219346.tif 000004
【図３】
0003219346.tif 000005
【図４】
0003219346.tif 000006
【図５】
0003219346.tif 000007